(57)【要約】【課題】  ディスク装置内の密閉状態を高度に維持するとともに、部品点数を増やすことがなく水没判定が可能なディスク装置を提供することにある。【解決手段】  本願のディスク装置は、第１シェル、およびこの第１シェルと対向して設けられた第２シェルを有した矩形状の筐体と、前記筐体内に配設されたディスク状の記録媒体と、を備え、前記第１および第２シェルは、互いに対向しているとともに前記筐体の周縁部を構成した側壁をそれぞれ有し、前記筐体は、前記第１および第２シェルの側壁に巻装され側壁を互いに接続しているとともに、前記側壁間の隙間を閉塞した帯状のシール部材を備え、この帯状シール部材は、水没判定機能、外磁場判定機能、衝撃判定機能、有害ガス判定機能など、装置の故障に関係する外的要素の履歴判定機能を有する。【選択図】      図６
2006155823.tif 000002
【特許請求の範囲】
【請求項１】
第１シェル、およびこの第１シェルと対向して設けられた第２シェルを有した矩形状の筐体と、
前記筐体内に配設されたディスク状の記録媒体と、を備え、
前記第１および第２シェルは、互いに対向しているとともに前記筐体の周縁部を構成した側壁をそれぞれ有し、
前記筐体は、前記第１および第２シェルの側壁に巻装され側壁を互いに接続しているとともに、前記側壁間の隙間を閉塞し、装置の故障に関係する外的要素の履歴判定機能を有する帯状のシール部材を備えているディスク装置。
【請求項２】
前記シール部材は、前記筐体の周縁部の幅よりも狭い幅を有している請求項１に記載のディスク装置。
【請求項３】
前記シール部材は、耐水性の基材に水溶性インクによる印刷を施した水没判定用の帯状体であることを特徴とする請求項１に記載のディスク装置。
【請求項４】
前記シール部材は、前記側壁間の隙間を閉塞した状態取り付けられたときの筐体角部に対向する領域にのみが、耐水性の基材に水溶性インクによる印刷を施した水没判機能を有する
ことを特徴とする請求項３に記載のディスク装置。
【請求項５】
前記シール部材は、外磁場判定機能を有することを特徴とする請求項１に記載のディスク装置。
【請求項６】
前記シール部材は、衝撃判定機能機能を有することを特徴とする請求項１に記載のディスク装置。
【請求項７】
前記シール部材は、有毒ガス判定機能を有することを特徴とする請求項１に記載のディスク装置。
【請求項８】
前記シール部材は、前記筐体側壁から剥がすと文字が浮き上がることにより剥がした履歴が残る機能を有することを特徴とする請求項１に記載のディスク装置。
【請求項９】
前記シール部材は、前記筐体側壁に粘着材を介して接着され、前記粘着材は低アウトガス性に優れている材料であり、厚さが０．１ｍｍ以下であることを特徴とする請求項１に記載のディスク装置。
【発明の詳細な説明】
【技術分野】
【０００１】
この発明は、ディスク装置に関し、特に筐体内部の気密状態を維持するためのシール部材を有するディスク装置に関する。
【背景技術】
【０００２】
コンピュータの外部記録装置や画像記録装置として磁気ディスク装置、光ディスク装置などのディスク装置が広く用いられている。
ディスク装置として、例えば、磁気ディスク装置は、一般に、矩形箱状の筐体を有している。筐体内には、磁気記録媒体としての磁気ディスク、この磁気ディスクを支持および回転させる駆動手段としてのスピンドルモータ、磁気ディスクに対して情報の書き込み、読み出しを行なう複数の磁気ヘッド、これらの磁気ヘッドを磁気ディスクに対して移動自在に支持したヘッドアクチュエータ、ヘッドアクチュエータを回動および位置決めするボイスコイルモータ、ヘッドＩＣ等を有する基板ユニット等が収納されている。筐体の外面には、基板ユニットを介してスピンドルモータ、ボイスコイルモータ、および磁気ヘッドの動作を制御するプリント回路基板がねじ止めされている。
【０００３】
近年、磁気ディスク装置として、カード状に薄く形成され、例えばパーソナルコンピュータのカードスロットに装填可能としたものが提供されている（例えば、特許文献１）。磁気ディスク装置は、より多種の電子機器、特に、より小型の電子機器の記録装置として用いることができるように、一層の小型化が進められている。
【特許文献１】特開２００１−２１００５８号公報
【発明の開示】
【発明が解決しようとする課題】
【０００４】
上記のような薄型の磁気ディスク装置において、筐体は薄い直方体形状に形成されている。このような筐体は、内部に実装される磁気ディスクの平坦面に平行で、面積の大きな上下面に対する厚さ方向の圧力に弱いため、取り扱い時には、筐体の側面部を把持することが望ましい。
【０００５】
しかしながら、磁気ディスク装置の小型化に伴い筐体の側面も狭くなり、筐体を把持する際、側面部に掛けられる指の本数が少なくなる。同時に、筐体の厚さが薄くなると、筐体側面部と指との接触面積も減少する。そのため、筐体の側面部を安定して保持することが困難となり、携帯用記憶装置として持ち歩く際、あるいは、内蔵用記憶装置として、他の電子機器に組み込む製造工程において、手を滑らせて磁気ディスク装置を落とし損傷させてしまう場合がある。
【０００６】
今後、小型磁気ディスク装置が修理、リサイクルされるようになった場合、メーカー出荷以降のユーザーによる携帯機器の使用時に、機器内部に水が浸入し磁気ディスク装置が水に濡れる経緯が有ったか否かを判断する作業が発生することが予想される。
【０００７】
しかしながら、小型磁気ディスク装置が水に濡れる経緯が有ったか否かを判断することが、その小型磁気ディスク装置そのものをみてできる手段を持つものはなく、このような水没判定機能を備えた磁気ディスク装置の登場が望まれている。
【０００８】
そこで、本発明は上記の問題を解決するためになされたもので、その目的は、部品点数を増やすことがなく水没判定が可能なディスク装置を提供することにある。
【課題を解決するための手段】
【０００９】
上述の課題を解決するために、この発明に係るディスク装置は、第１シェル、およびこの第１シェルと対向して設けられた第２シェルを有した矩形状の筐体と、前記筐体内に配設されたディスク状の記録媒体と、を備え、前記第１および第２シェルは、互いに対向しているとともに前記筐体の周縁部を構成した側壁をそれぞれ有し、前記筐体は、前記第１および第２シェルの側壁に巻装され側壁を互いに接続しているとともに、前記側壁間の隙間を閉塞し、装置の故障に関係する外的要素の履歴判定機能を有する帯状のシール部材を備えていることを特徴とするものである。
【発明の効果】
【００１０】
この発明によれば、上記のような構成をとることにより、部品点数を増やすことがなく水没判定が可能なディスク装置を提供することが可能となる。
【発明を実施するための最良の形態】
【００１１】
以下図面を参照しながら、この発明の実施形態に係るハードディスクドライブ（以下ＨＤＤと称する）について詳細に説明する。
＜第１の実施形態＞
図１および図２に示すように、ＨＤＤは後述する種々の部材が収納されたほぼ矩形箱状の筐体１０と、筐体１０の外面に重ねて設けられた矩形状の制御回路基板１２と、を備えている。筐体１０は、長さＬが４ｃｍ以下、例えば、３２ｍｍ、幅Ｗが２４ｍｍに形成され、厚さＴが約３.３ｍｍに形成されている。厚さＴは、収納するディスクの枚数に応じて設定されている。制御回路基板１２は、筐体１０と同一の長さおよび幅に形成されている。
【００１２】
図１、図２、図４に示すように、筐体１０は、互いにほぼ等しい寸法に形成された第１シェル１０ａおよび第２シェル１０ｂを有している。第１および第２シェル１０ａ、１０ｂはそれぞれ金属により形成され、平坦な矩形状の主面と、主面の周縁部に立設された側壁とを一体に有している。第１および第２シェル１０ａ、１０ｂは、その側壁同士が対向した状態で、互いに向い合わせて配置されている。筐体１０の周縁部を構成している第１および第２シェル１０ａ、１０ｂの側壁外面には帯状のシール部材１６が全周に渡って巻き付けられ、このシール部材によりシェルの側壁が互いに接続されているとともに、側壁間の隙間がシールされている。これにより、矩形箱状の筐体１０が構成されている。第１および第２シェルの側壁により筐体１０の周縁部が構成されている。
【００１３】
第１シェル１０ａの主面は矩形状の実装面１１を形成している。実装面１１の角を含む筐体１０の４つの角は円弧状に丸めて形成されている。これにより、筐体１０の周縁部に巻装されたシール部材１６が、筐体の角で損傷することを防止しているとともに、シール部材の浮きによる気密性の悪化を防止している。
【００１４】
シール部材１６は、ポリエチレンテレフタレートの薄い板材や、アルミニウム箔等を材料とする基材と、この基材の裏面に形成された粘着層とで構成されている。
シール部材１６の厚さは３０〜２００μｍ程度、幅ｔは、筐体１０の厚さＴ、つまり、筐体周縁部の幅、よりも狭く約２ｍｍに形成されている。また、このシール部材１６は水没判定機能を有している。
【００１５】
これらのシール部材１６は、例えば紙の表面に水性インクをあるパターンで印刷しておき、水没した場合、印刷表面の水性インクが水に溶解し、紙の表面にインクが流れて、にじむことにより水没確認ができるというものである。本実施形態においては、筐体１０を構成する第１シェル１０ａと第２シェル１０ｂの合わせ目が装置側面に存在し、それを帯状シール部材１６で覆うことでＨＤＤの気密状態を維持する構造をとっている。また、第２シェル１０ｂを第１シェル１０ａに固定するための固定ねじを取り付ける領域に設けたくぼみ、あるいは図示しないＨＤＤの気密検査用の穴の部分１０ｃは、円形シール１６ｄで密閉している。
【００１６】
図６（ａ）に本実施形態に係るシール部材１６の断面図を示す。図６（ａ）を用いて本実施形態における水没判定方法を詳細に説明する。
シール部材１６は、例えばポリエステル等のセパレータ１６ｂに貼り付けている。水没判定シート１６ａは、目視にて水没による色の変化が確認できるよう、帯状シール１６の場合は幅１ｍｍ以上となっている。また、粘着剤１６ｃの厚さは０．１ｍｍ以下である。
【００１７】
また、第２シェル１０ｂを第１シェル１０ａに固定するための固定ねじを取り付ける領域に設けたくぼみ、あるいは図示しないＨＤＤの気密検査用の穴の部分１０ｃは、円形シール１６ｄで密閉する場合、ここに用いられる円形シール１６ｄの直径は２ｍｍ以上であるのが好ましい。この場合、粘着剤１６ｂは、磁気ディスク装置の内部に露出しているため、低アウトガス性に優れている材料を用いるのが好ましい。
【００１８】
また、図６（ｂ）に示すように、このシール部材１６を剥がすと文字が浮き出るシール部材１６ｅを用いて、再使用不可にする機能を付加することで、水没履歴のある磁気ディスク装置に別の新しい装置から剥がした水没ラベルを張替える等の不正使用を防止することも可能である。
【００１９】
なお、本実施形態の変形例として、図７に示すように、シール部材１６の水性インク部、すなわち、水没判定機能部は上記実施形態のように帯状シール全体に施すことも有効であるが、帯状シールの一部分、本変形例では、ＨＤＤの４つの角部に対向する部分にのみ水没判定機能を施したシール部材１６ｆを用いることでも有効に機能するものである。
【００２０】
図２および図３に示すように、筐体１０内において、筐体の周縁部には複数の支持ポスト１８が設けられている。各支持ポスト１８は、第１シェル１０ａの内面に固定された基端を有し、第１シェルの内面に対してほぼ垂直に立設されている。各支持ポスト１８の位置で、実装面１１にねじ孔が形成され、支持ポスト内まで延びている。
【００２１】
筐体１０内には、情報記録媒体として機能する直径１インチ以下、例えば、直径０．８５インチの磁気ディスク２０、この磁気ディスクを支持および回転させる駆動モータとしてのスピンドルモータ２２、磁気ディスクに対して情報の書き込み、読み出しを行なう磁気ヘッド２４、磁気ディスク２０に対して磁気ヘッドを移動自在に支持したキャリッジ２６、キャリッジを回動および位置決めするボイスコイルモータ（以下ＶＣＭと称する）２８、磁気ヘッドが磁気ディスクの周縁部に移動した際、磁気ヘッドを磁気ディスクから離間した位置にアンロードして保持するランプロード機構３０、キャリッジを退避位置に保持するラッチ機構、およびヘッドＩＣ等を有する基板ユニット３４等が収納されている。
【００２２】
スピンドルモータ２２は、第１シェル１０ａに取り付けられている。スピンドルモータ２２は枢軸３６を有し、この枢軸は第１シェル１０ａの内面に固定され、この内面に対してほぼ垂直に立設されている。枢軸３６の延出端は、第２シェル１０ｂの外側からねじ込まれた固定ねじ３７により第２シェルにねじ止めされている。これにより、枢軸３６は第１および第２シェル１０ａ、１０ｂに両持ち支持されている。
【００２３】
枢軸３６には、図示しない軸受を介してロータが回転自在に支持されている。ロータの第２シェル１０ｂ側の端部は円柱形状のハブ４３を構成し、このハブには、磁気ディスク２０が同軸的に嵌合されている。ハブ４３の端部には、環状のクランプリング４４が嵌合されて、磁気ディスク２０の円周縁部を保持している。これにより、磁気ディスク２０はロータに固定され、ロータと一体的に回転可能に支持されている。
【００２４】
ロータの第１シェル１０ａ側の端部には図示しない環状の永久磁石が固定され、ロータと同軸的に位置している。スピンドルモータ２２は、第１シェル１０ａに取り付けられたステータコア、およびこのステータコアに巻回された複数のコイルを有し、これらステータコアおよびコイルは、永久磁石の外側に隙間を置いて配置されている。
【００２５】
ヘッドアクチュエータを構成するキャリッジ２６は、第１シェル１０ａの内面上に固定された軸受組立体５２を備えている。軸受組立体５２は、第１シェル１０ａの内面に対して垂直に立設された枢軸５３と、一対の軸受を介して枢軸５３に回転自在に支持された円筒形状のハブ５４と、を有している。枢軸５３の延出端は、第２シェル１０ｂの外側からねじ込まれた固定ねじ５６により第２シェルにねじ止めされている。これにより、枢軸５３は第１および第２シェル１０ａ、１０ｂに両持ち支持されている。軸受部として機能する軸受組立体５２は、スピンドルモータ２２に対し、筐体１０の長手方向に並んで配設されている。
【００２６】
キャリッジ２６は、ハブ５４から延出したアーム５８、アームの先端から延出した細長い板状のサスペンション６０、ハブ５４からアームと反対方向に延出した支持フレーム６２を備えている。サスペンション６０の延出端には、図示しないジンバル部を介して磁気ヘッド２４が支持されている。磁気ヘッド２４はサスペンション６０のばね力により磁気ディスク２０表面に向かって所定のヘッド荷重が印加されている。支持フレーム６２には、ＶＣＭ２８を構成するボイスコイル６４が一体的に固定されている。
【００２７】
キャリッジ２６を軸受組立体５２の回りで回動させるＶＣＭ２８は、第１シェル１０ａ上に固定され互いに隙間を置いて対向した一対のヨーク６３と、一方のヨークの内面に固定されボイスコイルに対向した図示しない磁石と、を備えている。ボイスコイル６４に通電することにより、キャリッジ２６は、図３に示す退避位置と磁気ディスク２０の表面上に位置する動作位置との間を回動し、磁気ヘッド２４は磁気ディスク２０の所望のトラック上に位置決めされる。第１シェル１０ａに固定されたラッチ機構３２は、退避位置に移動したキャリッジ２６をラッチし、ＨＤＤが衝撃等の外力を受けた際、キャリッジ２６が退避位置から作動位置へ移動することを防止する。
【００２８】
ランプロード機構３０は、第１シェル１０ａの内面に固定され磁気ディスク２０の周縁部に対向したランプ部材７０と、サスペンション６０の先端から延出し係合部材として機能するタブ７２と、を備えている。ランプ部材７０は合成樹脂等により形成され、タブ７２が係合可能なランプ面７３を有している。キャリッジ２６が磁気ディスク２０の内周部から磁気ディスク外周の退避位置まで回動すると、タブ７２は、ランプ部材７０のランプ面７３に係合し、その後、ランプ面の傾斜によって引き上げられ、磁気ヘッド２４のアンロード動作を行なう。キャリッジ２６が退避位置まで回動すると、タブ７２はランプ部材７０のランプ面７３上に支持され、磁気ヘッド２４は磁気ディスク２０の表面から離間した状態に保持される。
【００２９】
基板ユニット３４は、フレキシブルプリント回路基板により形成された本体３４ａを有し、この本体３４ａは第１シェル１０ａの内面に固定されている。本体３４ａ上にはヘッドＩＣ、ヘッドアンプ等の電子部品が実装されている。基板ユニット３４は本体３４ａから延出したメインフレキシブルプリント回路基板（以下、メインＦＰＣと称する）３４ｂを有している。メインＦＰＣ３４ｂの延出端は、キャリッジ２６の軸受組立体５２近傍に接続され、更に、アーム５８およびサスペンション６０上に設けられた図示しないケーブルを介して磁気ヘッド２４に電気的に接続されている。基板ユニット３４の本体底面には制御回路基板１２と接続するためのコネクタ３４ｃが実装されている。このコネクタ３４ｃは、第１シェル１０ａに形成された開孔を介して第１シェルの実装面１１に露出している。
【００３０】
図２に示すように、プリント回路基板からなる制御回路基板１２は筐体１０の実装面１１とほぼ等しいの長さおよび幅を有した矩形状を有している。筐体１０の実装面１１には、スピンドルモータ２２に対応した円形の凸部７０ａ、および軸受組立体５２に対応した円形の凸部７０ｂがそれぞれ形成されている。制御回路基板１２には、これらの凸部７０ａ、７０ｂにそれぞれ対応した円形の開口７２ａ、７２ｂが形成されている。制御回路基板１２の４つの角部は、それぞれ斜めに、例えば、各辺に対して４５度の角度で斜めに切欠かれ、それぞれ切欠き部７７を形成している。制御回路基板１２の内面上、つまり、筐体１０と対向する面上には、複数の電子部品７４、およびコネクタ７１が実装されている。
【００３１】
制御回路基板１２は、筐体１０の実装面１１に重ねて配置され、複数のねじにより第１シェル１０ａにねじ止めされている。この際、制御回路基板１２は、４つの辺が実装面１１の４辺とそれぞれ整列した状態、つまり、実装面１１の４辺と一致した状態で配置されている。実装面１１に形成された凸部７０ａ、７０ｂは、それぞれ制御回路基板１２の開口７２ａ、７２ｂ内に配置されている。制御回路基板１２上に実装されたコネクタ７１は、基板ユニット３４のコネクタに接続される。
【００３２】
制御回路基板１２の４つの角部に形成された切欠き部７７は、それぞれ実装面１１の４つの角部に位置している。これにより、実装面１１の４つの角部は制御回路基板１２によって覆われることなく外部に露出している。実装面１１の露出した４つの角部を含む筐体１０の角部は、制御回路基板１２に接触することなく筐体を保持するための保持部７８をそれぞれ構成している。
【００３３】
カード状に形成され携帯可能な上述のＨＤＤは、例えば、携帯電話機、デジタルカメラ、ビデオカメラ、パーソナルデジタルアシスタント（ＰＤＡ）等、種々の電子機器の記録装置として用いることができる。また、小型という利点から、小型電子機器の内蔵用記憶装置として用いることもできる。
【００３４】
以上のように構成されたＨＤＤによれば、筐体１０を構成した第１および第２シェル１０ａおよび１０ｂの側壁部は、シール部材１６によって互いに接続されているとともに、側壁間の隙間がシール部材によって閉塞されている。これらのシール部材１６に、例えば紙の表面に水性インクをあるパターンで印刷しておき、水没した場合、印刷表面の水性インクが水に溶解し、紙の表面にインクが流れて、にじむことにより水没確認ができる。すなわち、本実施形態である上記のような構成をとることにより、部品点数を増やすことがなく水没判定が可能なディスク装置を提供することが可能となる。
【００３５】
次に、本発明の別の実施形態に関し、図８乃至図９を参照して説明する。本発明の別の実施形態として、上述の第１の実施形態にて説明した水没判定機能のみでなく、（１）外磁場判定機能、（２）衝撃判定機能、（３）有害ガス判定機能など、装置の故障に関係する外的要素の履歴判定機能をシール部材１６に持たせても良い。
【００３６】
＜第２の実施形態＞
図８は本発明の第２の実施形態に係るシール部材１１６の構造を示す断面図である。第２の実施形態においては、シール部材１１６は外磁場判定機能を有している。
すなわち、本実施例に係るシール部材１１６は、外磁場判定シートを構成しており、図８に示すように、例えば白と黒の２つの色に塗り分けられた磁石粒子１１６ａが、半透明または透明な２層のシート１１６ｂ間に封入され、外から磁力１１６ｃを受けると、磁石粒子１１６ａが回転されることによって、シート部材１１６の表面がコントラストが他の部分と異なる状態に表示される。これにより、ＨＤＤが外磁場を受けた履歴が残る構造となっている。
【００３７】
＜第３の実施形態＞
図９は本発明の第３の実施形態に係るシール部材２１６の構造を示す断面図である。第３の実施形態においては、シール部材２１６は衝撃判定機能を有している。
すなわち、本実施例に係るシール部材２１６は、図９のように２層の基紙２１６ａの間に顕色層２１６ｂと、発色剤２１６ｅの入ったマイクロカプセル２１６ｃが積層されており、シート状のシール部材２１６に衝撃２１６ｄが加わるとマイクロカプセル２１６ｃの殻が破れ、マイクロカプセル２１６ｃ内の発色剤２１６ｅが染み出し顕色層２１６ｂと反応して色素２１６ｆを生成する。これにより、ＨＤＤが衝撃を受けた履歴が残る構造となっている。
【００３８】
＜第４の実施形態＞
第４の実施形態においては、シール部材は有害ガス判定機能を有している。
本実施例に係るシール部材は、例えばリトマス試験紙のような酸性ガスまたは塩基性ガスに反応して色が変わるようなシールを用いることで、ＨＤＤが有害ガス中に放置された場合、履歴が残る構造となっている。
【００３９】
以上のように構成されたディスク装置によれば、上記のような構成をとることにより、部品点数を増やすことがなく水没判定が可能なディスク装置を提供することが可能となる。
【図面の簡単な説明】
【００４０】
【図１】本発明の実施形態に係るＨＤＤの斜視図
【図２】本発明の実施形態に係るＨＤＤの分解斜視図。
【図３】本発明の実施形態に係るＨＤＤの筐体及び内部構造を示す平面図。
【図４】図１の線Ａ−Ａに沿ったＨＤＤの断面図。
【図５】本発明の第１の実施形態に係るシール部材の取り付け状態を示す図。
【図６】本発明の第１の実施形態に係るシール部材の構造を示す断面図。
【図７】本発明の第１の実施形態の変形例に係るシール部材の取り付け状態を示す図。
【図８】本発明の第２の実施形態に係るシール部材の構造を示す断面図。
【図９】本発明の第３の実施形態に係るシール部材の構造を示す断面図。
【符号の説明】
【００４１】
１０…筐体
１０ａ…第１シェル
１０ｂ…第２シェル
１０ｃ…くぼみ
１２…制御回路基板
１６…シール部材
１６ａ…水没判定シール
１６ｂ…セパレータ
１６ｃ…粘着材
１６ｄ…円形シール
１６ｆ…一部に水没判定機能を施したシール
１６ｅ…剥がすと文字が浮き出るシール部材
１７…透孔
１８…支持ポスト
２０…磁気ディスク
２２…スピンドルモータ
２４…磁気ヘッド
２６…キャリッジ
２８…ＶＣＭ
３０…ランプロード機構
１１６…外磁場判定機能を有するシール部材
１１６ａ…磁石粒子
１１６ｂ…シート
１１６ｃ…外部磁力
２１６…衝撃判定機能を有するシール部材
２１６ａ…基紙
２１６ｂ…顕色層
２１６ｃ…マイクロカプセル
２１６ｄ…衝撃
２１６ｅ…発色剤
２１６ｆ…色素
【図１】
2006155823.tif 000003
【図２】
2006155823.tif 000004
【図３】
2006155823.tif 000005
【図４】
2006155823.tif 000006
【図５】
2006155823.tif 000007
【図６】
2006155823.tif 000008
【図７】
2006155823.tif 000009
【図８】
2006155823.tif 000010
【図９】
2006155823.tif 000011